【手続補正書】
【提出日】平成27年12月4日(2015.12.4)
【手続補正１】
【補正対象書類名】特許請求の範囲
【補正対象項目名】全文
【補正方法】変更
【補正の内容】
【特許請求の範囲】
【請求項１】
ビデオシーケンス内の画像（３）の符号化表現（４）を復号化することと関連して、基準画像リストを取り扱う方法であって、前記画像（３）は複数のスライスを備え、
前記符号化表現（４）に基づいて、少なくとも１つのモードシグナリング構文要素を提供するステップ（Ｓ１）と、
前記少なくとも１つのモードシグナリング構文要素に基づいて、１つまたは複数の最終基準画像リストが、前記画像（３）内の同じスライス型の全てのスライスに対して同じであるかどうかを判断するステップ（Ｓ２）とを備え、
前記少なくとも１つのモードシグナリング構文要素を提供するステップ（Ｓ１）は、前記符号化表現（４）に基づいて、基準画像リストフラグを提供するステップ（Ｓ２０）を備え、
１つまたは複数の最終基準画像リストが同じであるかどうかを判断するステップ（Ｓ２）は、前記基準画像リストフラグが第１の値を有する場合、前記１つまたは複数の最終基準画像リストが前記画像（３）内の前記同じスライス型の全てのスライスに対して同じであると判断するステップ（Ｓ２２）および前記基準画像リストフラグが第２の、異なる値を有する場合、前記１つまたは複数の最終基準画像リストが、前記画像（３）内の前記同じスライス型の全てのスライスに対して同じである必要はないと判断するステップ（Ｓ２３）を備える、方法。
【請求項２】
１つまたは複数の最終基準画像リストが同じであるかどうかを判断するステップ（Ｓ２）は、前記少なくとも１つのモードシグナリング構文要素に基づいて、最終基準画像リストが、前記画像（３）内の全てのＰスライスに対して同じであるかどうか、および最終基準画像リストが、前記画像（３）内の全てのＢスライスに対して同じであるかどうかを判断するステップ（Ｓ２）を備える、請求項１に記載の方法。
【請求項３】
１つまたは複数の最終基準画像リストが同じであるかどうかを判断するステップ（Ｓ２）は、前記少なくとも１つのモードシグナリング構文要素に基づいて、最終基準画像リストＬ０が、前記画像（３）内の全てのＰスライスおよび全てのＢスライスに対して同じであるかどうか、および最終基準画像リストＬ１が、前記画像（３）内の全てのＢスライスに対して同じであるかどうかを判断するステップ（Ｓ２）を備える、請求項２に記載の方法。
【請求項４】
１つまたは複数の最終基準画像リストが同じであるかどうかを判断するステップ（Ｓ２）が、前記少なくとも１つのモードシグナリング構文要素に基づいて、ｉ）前記１つまたは複数の最終基準画像リストが、前記画像（３）内の前記同じスライス型の全てのスライスに対して同じであるかどうか、またはｉｉ）前記画像（３）内で使用される異なる基準画像リストの数が制限されていないかどうかを判断するステップ（Ｓ２）を備える、請求項１から３のいずれか一項に記載の方法。
【請求項５】
前記少なくとも１つのモードシグナリング構文要素に基づいて、任意の基準画像リスト修正が、１つまたは複数の初期基準画像リストに適用され、前記１つまたは複数の最終基準画像リストを形成するかどうかを判断するステップ（Ｓ１２）をさらに備える、請求項１から４のいずれか一項に記載の方法。
【請求項６】
基準画像リストを取り扱うためのデバイス（１００）であって、
ビデオシーケンス内の画像（３）の符号化表現（４）に基づいて、少なくとも１つのモードシグナリング構文要素を提供するように構成される構文要素プロバイダ（１１０）を備え、前記画像（３）は複数のスライスを備え、
前記少なくとも１つのモードシグナリング構文要素に基づいて、１つまたは複数の最終基準画像リストが、前記画像（３）内の同じスライス型の全てのスライスに対して同じであるかどうかを判断するように構成されるリスト判断器（１２０）を備え、
前記構文要素プロバイダ（１１０）が、前記符号化表現（４）に基づいて、基準画像リストフラグを提供するように構成され、
前記リスト判断器（１２０）は、前記基準画像リストフラグが第１の値を有する場合、前記１つまたは複数の最終基準画像リストが前記画像（３）内の前記同じスライス型の全てのスライスに対して同じであると判断し、および前記基準画像リストフラグが第２の、異なる値を有する場合、前記１つまたは複数の最終基準画像リストが前記画像（３）内の前記同じスライス型の全てのスライスに対して同じである必要がないと判断するように構成される、デバイス。
【請求項７】
前記リスト判断器（１２０）は、少なくとも１つのモードシグナリング構文要素に基づいて、１つの最終基準画像リストが、前記画像（３）内の全てのＰスライスに対して同じであるかどうか、および複数の最終基準画像リストが、前記画像（３）に内の全てのＢスライスに対して同じであるかどうかを判断するように構成される、請求項６に記載のデバイス。
【請求項８】
前記リスト判断器（１２０）は、前記少なくとも１つのモードシグナリング構文要素に基づいて、最終基準画像リストＬ０が、前記画像（３）内の全てのＰスライスならびに全てのＢスライスに対して同じであるかどうか、および最終基準画像リストＬ１が、前記画像（３）内の全てのＢスライスに対して同じであるかどうかを判断するように構成される、請求項７に記載のデバイス。
【請求項９】
前記リスト判断器（１２０）は、前記少なくとも１つのモードシグナリング構文要素に基づいて、ｉ）前記１つまたは複数の最終基準画像リストが、前記画像（３）内の前記同じスライス型の全てのスライスに対して同じであるかどうか、またはｉｉ）前記画像（３）内で使用される異なる基準画像リストの数が制限されていないかどうかを判断するよう構成される、請求項６から８のいずれか一項に記載のデバイス。
【請求項１０】
前記少なくとも１つのモードシグナリング構文要素に基づいて、任意の基準画像リスト修正が、１つまたは複数の初期基準画像リストに適用され、前記１つまたは複数の最終基準画像リストを形成するかどうかを判断するように構成されるリスト修正判断器（１３０）をさらに備える、請求項６から９のいずれか一項に記載のデバイス。
【請求項１１】
請求項６から１０のいずれか一項に記載の、基準画像リストを取り扱うためのデバイス（１００）を備える、復号器（１０）。
【請求項１２】
ビデオシーケンスの画像（３）の符号化表現（４）を受信するように構成される入力ユニット（１１）を備え、前記画像（３）は複数のスライスを備え、
請求項１１に記載の復号器（１０）と、
１つまたは複数の最終基準画像リストで定義される基準画像（５）を格納するように構成される基準画像バッファ（１３）と、
復号化画像（６）を出力するように構成される出力ユニット（１２）とを備える、受信器（１）。
【請求項１３】
ビデオシーケンスの画像（３）を符号化する方法であって、前記画像（３）は複数のスライスを備え、
１つまたは複数の最終基準画像リストが、前記画像（３）内の同じスライス型の全てのスライスに対して同じであるかどうかを判断するステップ（Ｓ５０）と、
前記画像（３）の符号化表現（４）を生成するステップ（Ｓ５１）と、
前記符号化表現（４）と、前記１つまたは複数の最終基準画像リストが前記画像（３）内の前記同じスライス型の全てのスライスに対して同じであるかどうかを示す少なくとも１つのモードシグナリング構文要素とを関連づけるステップ（Ｓ５２）とを備え、
前記１つまたは複数の最終基準画像リストが前記画像（３）内の前記同じスライス型の全てのスライスに対して同じである場合、基準画像リストフラグを第１の値に設定するステップ（Ｓ６０）をさらに備え、前記少なくとも１つのモードシグナリング構文要素を関連づけるステップ（Ｓ５２）が、前記基準画像リストフラグを前記符号化表現（４）と関連づけるステップ（Ｓ５２）を備える、方法。
【請求項１４】
前記１つまたは複数の最終基準画像リストが前記画像（３）内の前記同じスライス型の全てのスライスに対して同じである必要がない場合、基準画像リストフラグを第２の値に設定するステップ（Ｓ６０）をさらに備え、前記少なくとも１つのモードシグナリング構文要素を関連づけるステップ（Ｓ５２）が、前記基準画像リストフラグを前記符号化表現（４）と関連づけるステップ（Ｓ５２）を備える、請求項１３に記載の方法。
【請求項１５】
ビデオシーケンスの画像（３）を符号化する符号器（２００）であって、前記画像（３）は複数のスライスを備え、
１つまたは複数の最終基準画像リストが、前記画像（３）内の同じスライス型の全てのスライスに対して同じであるかどうかを判断するように構成されるリスト判断器（２１０）と、
前記画像（３）の符号化表現（４）を生成するように構成される表現生成器（２２０）と、
前記符号化表現（４）と、前記１つまたは複数の最終基準画像リストが前記画像（３）内の前記同じスライス型の全てのスライスに対して同じであるかどうかを示す少なくとも１つのモードシグナリング構文要素とを関連づけるように構成される構文要素関連づけユニット（２３０）とを備え、
前記１つまたは複数の最終基準画像リストが前記画像（３）内の前記同じスライス型の全てのスライスに対して同じである場合、基準画像リストフラグを第１の値に設定するように構成される基準画像リストフラグ設定装置（２４０）をさらに備え、前記構文要素関連づけユニット（２３０）が、前記基準画像リストフラグを前記符号化表現（４）と関連づけるように構成される、符号器。
【請求項１６】
前記１つまたは複数の最終基準画像リストが前記画像（３）内の前記同じスライス型の全てのスライスに対して同じである必要がない場合、基準画像リストフラグを第２の値に設定するように構成される基準画像リストフラグ設定装置（２４０）をさらに備え、前記構文要素関連づけユニット（２３０）が、前記基準画像リストフラグを前記符号化表現（４）と関連づけるように構成される、請求項１５に記載の符号器。
【請求項１７】
ビデオシーケンスの画像（３）を受信するように構成される入力ユニット（２１）を備え、前記画像（３）は複数のスライスを備え、
請求項１５または１６のいずれか一項に記載の符号器（２００）と、
前記画像（３）の符号化表現（４）を出力するように構成される出力ユニット（２２）とを備える、送信器（２）。
【手続補正２】
【補正対象書類名】図面
【補正対象項目名】図１１
【補正方法】変更
【補正の内容】
【図１１】
2015503882.tif 000001